(57)【特許請求の範囲】
【請求項１】
カメラと、
ユーザの選択した撮影条件の組み合わせを有するフォトモードを生成し、記憶する記憶手段と、
ユーザの選択した前記フォトモードに基づき前記カメラの撮影条件を設定する設定手段と、
複数の前記撮影条件をユーザに選択させる第１の選択手段と、
前記フォトモードのうち、１つのフォトモードをユーザに選択させる第２の選択手段と、
前記カメラを使用可能にする起動手段と、
を有し、
前記記憶手段は、前記第１の選択手段を用いてユーザの選択した複数の前記撮影条件の組み合わせと前記起動手段とを組み合わせて個々のフォトモードを生成し、記憶する手段であり、
前記設定手段は、前記第２の選択手段を用いてユーザの選択した前記フォトモードの有する撮影条件を初期設定として、前記起動手段を用いて前記カメラを使用可能にする手段であることを特徴とするカメラ付き携帯電話機。
【請求項２】
表示部を有し、
前記第１の選択手段は、
前記表示部に複数の前記撮影条件を表示して１の撮影条件を選択させる手段であり、
前記第２の選択手段は、
前記表示部に複数の前記フォトモードを表示して１のフォトモードを選択させる手段であることを特徴とする請求項１に記載のカメラ付き携帯電話機。
【請求項３】
前記表示部に通話の待ち受け画面を表示する表示手段を有し、
前記第２の選択手段は、複数の前記フォトモードをアイコンとして前記待ち受け画面に表示させ、前記アイコンを選択させる手段であることを特徴とする請求項２に記載のカメラ付き携帯電話機。
【請求項４】
前記撮影条件は、明るさ、ホワイトバランス、色調、ライト、フラッシュ、ズーム倍率、撮影モードのうち、少なくとも１つを有することを特徴とする請求項１〜３のいずれか一項に記載のカメラ付き携帯電話機。
【発明の詳細な説明】
【技術分野】
【０００１】
本発明は、カメラ付き携帯電話機、撮影装置および撮影方法に関するものである。
【背景技術】
【０００２】
近年、デジタルカメラの小型化に伴い、カメラを内蔵した携帯電話機が一般的になっている。また、カメラの機能も多彩になり、様々な撮影条件に対応可能となってきている。
【０００３】
ここで、カメラを用いて撮影する時に設定した撮影条件の多くは、カメラをオフすることで初期設定に戻るため、次回の撮影時には、再度撮影条件を設定する必要がある。
【０００４】
また、撮影する状況毎に撮影条件を設定する操作が発生するため、カメラのユーザに煩わしさを感じさせている。
【０００５】
そこで、カメラの撮影条件の設定の煩雑さを解消した技術が提案されている。
【０００６】
例えば、特許文献１には、カメラの内蔵時計の時間帯（朝、昼、夕）に併せて時間帯毎に撮影に適した推奨撮影モードを設定画面に表示し、ユーザに推奨撮影モードを選択させる技術が開示されている（特許文献１）。
【０００７】
また、特許文献２には、設定画面における撮影条件の表示順を、当該撮影条件の使用頻度に併せて並べ替えることにより、頻繁に使用する条件を選択し易くした技術が開示されている（特許文献２）。
【先行技術文献】
【特許文献】
【０００８】
【特許文献１】特開２００６−２３８０７６号公報
【特許文献２】特開２００８−０８９６６９号公報
【発明の概要】
【発明が解決しようとする課題】
【０００９】
しかしながら、特許文献１記載の技術は、時間帯に併せて推奨撮影モードが固定されているため、撮影環境や、季節、天候によっては必ずしも推奨撮影モードが最適な撮影モードとならないという問題があった。
【００１０】
また、特許文献２記載の技術は、ユーザが常に特定の撮影条件下で撮影を行う場合には有効であるが、様々な撮影条件で撮影を繰り返す場合は、そもそも頻繁に使用する条件が存在しないため、実効性に乏しく、また、使用頻度の低い撮影条件を用いる場合は逆に従来よりも操作が煩雑になり、不便になるという問題があった。
【００１１】
本発明は上記問題に鑑みてなされたものであり、その課題は、カメラの撮影条件の設定の煩雑さを解消したカメラ付き携帯電話機を提供することにある。
【課題を解決するための手段】
【００１２】
上記の課題を解決するため、本発明の第１の態様は、カメラと、ユーザの選択した撮影条件の組み合わせを有するフォトモードを生成し、記憶する記憶手段と、ユーザの選択した前記フォトモードに基づき前記カメラの撮影条件を設定する設定手段と、を有することを特徴とするカメラ付き携帯電話機である。
【００１３】
本発明の第２の態様は、ユーザの選択した撮影条件の組み合わせを有するフォトモードを生成し、記憶する記憶手段と、ユーザの選択した前記フォトモードに基づき撮影条件を設定する設定手段と、を有することを特徴とする撮影装置である。
【００１４】
本発明の第３の態様は第１の態様に記載のカメラ付き携帯電話機を用いたことを特徴とする撮影方法である。
【発明の効果】
【００１５】
本発明によれば、カメラの撮影条件の設定の煩雑さを解消したカメラ付き携帯電話機を提供することができる。
【図面の簡単な説明】
【００１６】
【図１】携帯電話機１１を示す正面図である。
【図２】図１の裏面図である。
【図３】携帯電話機１１のハードウェア構成を示すブロック図である。
【図４】携帯電話機１１のハードウェア構成のうち、撮影に係る部分を示すブロック図である。
【図５】図３のＲＯＭ１４の構成を示す図である。
【図６】図３のフラッシュＲＯＭ１７の構成を示す図である。
【図７】図６のフォトモードデータベース１０３の構成の一例を示す図である。
【図８】本実施形態における携帯電話機１１の動作の概略を示すフローチャートである。
【図９】本実施形態における携帯電話機１１の動作の概略を示すフローチャートである。
【図１０】図８の詳細を示すフローチャートである。
【図１１】図１０のＳ４１における表示部２０の表示例を示す図である。
【図１２】図１０のＳ４２における表示部２０の表示例を示す図である。
【図１３】図１０のＳ４３における表示部２０の表示例を示す図である。
【図１４】図１０のＳ４４における表示部２０の表示例を示す図である。
【図１５】図１０のＳ４５における表示部２０の表示例を示す図である。
【図１６】図１０のＳ４５における表示部２０の表示例を示す図である。
【図１７】図１０のＳ４５における表示部２０の表示例を示す図である。
【図１８】図１０のＳ４５における表示部２０の表示例を示す図である。
【図１９】図１０のＳ４５における表示部２０の表示例を示す図である。
【図２０】図１０のＳ４５における表示部２０の表示例を示す図である。
【図２１】図１０のＳ４５における表示部２０の表示例を示す図である。
【図２２】図１０のＳ４５における表示部２０の表示例を示す図である。
【図２３】図１０のＳ４５における表示部２０の表示例を示す図である。
【図２４】図１０のＳ４５における表示部２０の表示例を示す図である。
【図２５】図１０のＳ４８における表示部２０の表示例を示す図である。
【図２６】フォトモード１０３ａの表示方法を示すフローチャートである。
【図２７】図２６のＳ６４における表示部２０の表示例を示す図である。
【図２８】図２６のＳ６６における表示部２０の表示例を示す図である。
【図２９】表示部２０に待ち受け画面２００を表示した際の例を示す図である。
【図３０】図９の詳細を示すフローチャートである。
【発明を実施するための形態】
【００１７】
以下、図面に基づいて本発明に好適な実施形態を詳細に説明する。
【００１８】
まず、図１および図２を参照して本発明の実施形態に係る携帯電話機１１の外部構造について説明する。ここでは、携帯電話機１１として、カメラ付き携帯電話機を例示している。
【００１９】
図１および図２に示すように、携帯電話機１１は箱型の本体１１ａを有している。
【００２０】
本体１１ａの表面には、電話番号の入力に利用するテンキーや後述する撮影の際に使用する機能キー等を有する入力部１８、後述する各種設定画面を表示する液晶等の表示部２０、通話に使用するマイク２１ａ、スピーカ２１ｂが設けられている。
【００２１】
また、携帯電話機１１はカメラ１５を有しており、図２に示すように、入力部１８が設けられた面の裏側の面には、カメラ１５を構成するレンズ１５ａやフラッシュ１５ｂ、ライト１５ｃが露出している。
【００２２】
次に、図３〜図７を参照して携帯電話機１１のハードウェア構成について、詳細に説明する。
【００２３】
図３に示すように、携帯電話機１１は、各装置を駆動制御するＣＰＵ１２（Central Processing Unit）、後述するフォトモード１０３ａを記憶するためのフラッシュＲＯＭ１７、前述したマイク２１ａ、スピーカ２１ｂを有する通話部２１、表示部２０の表示を制御する制御回路である表示制御部１９、後述する種々のプログラム等の固定的なデータを格納したＲＯＭ１４（Read Only Memory）、ＣＰＵ１２が種々のプログラムを実行する上で一時的に必要とするデータを格納するＲＡＭ１６（Random Access Memory）、前述したカメラ１５、入力部１８、表示部２０、を有し、これらの装置はバス１３を介して互いに接続されている。
【００２４】
なお、ＲＯＭ１４、ＲＡＭ１６、フラッシュＲＯＭ１７で記憶部２２を構成しており、
図３に示すハードウェア構成のうち、撮影に係る部分のみを記載すると、図４のような構成となる。
【００２５】
図５に示すように、ＲＯＭ１４には、通話のための通話プログラム１０１、および撮影を行うための撮影プログラム１０２が格納されている。
【００２６】
図６に示すように、フラッシュＲＯＭ１７にはフォトモードデータベース１０３が格納されている。
【００２７】
図７に示すように、フォトモードデータベース１０３は、カメラ１５の撮影条件１０３ｃの組み合わせを有するフォトモード１０３ａのデータベースである。
【００２８】
具体的には、個々のフォトモード１０３ａは、フォトモード名１０３ｂと、フォトモード１０３ａ毎のカメラ１５の撮影条件１０３ｃを有している。
【００２９】
カメラ１５の撮影条件１０３ｃとしては、例えば図７に示すような「明るさ」「ホワイトバランス」「ライト」「フラッシュ」「倍率」「撮影モード」が挙げられるが、これに限定されるものではない。
【００３０】
さらに、詳細は後述するが、個々のフォトモード１０３ａは、携帯電話機１１のカメラ機能を起動するため、即ち、撮影プログラム１０２を起動するためのカメラ起動プログラム１０３ｄを有している。
【００３１】
次に、本実施形態の動作の概要について、図８および図９を参照して説明する。
【００３２】
ここでは、フォトモード１０３ａを生成する工程と、生成したフォトモード１０３ａに基づいてカメラ１５の撮影条件を設定する工程を、それぞれ図８、図９に分けて説明する。
【００３３】
まず、フォトモード１０３ａを生成する工程について図８を参照して説明する。
【００３４】
なお、以下の工程では、携帯電話機１１は通話プログラム１０１が既に起動しており、いわゆる待ち受け状態になっていることを前提にして説明する。
【００３５】
最初にＣＰＵ１２はユーザの要求に応じてＲＯＭ１４に格納された撮影プログラム１０２を起動し、撮影プログラム１０２に基づき、ユーザに撮影条件を選択させる（図８のＳ１）。
【００３６】
次に、ＣＰＵ１２は選択された撮影条件を組み合わせて１つのフォトモード１０３ａを生成する（図８のＳ２）。
【００３７】
次に、ＣＰＵ１２は生成したフォトモード１０３ａをフラッシュＲＯＭ１７のフォトモードデータベース１０３に保存する（図８のＳ３）。
【００３８】
以上がフォトモード１０３ａを生成する工程である。
【００３９】
次に、生成したフォトモード１０３ａに基づいてカメラ１５の撮影条件を設定する工程について説明する。
【００４０】
まず、最初にＣＰＵ１２はユーザに１つのフォトモード１０３ａを選択させる（図９のＳ４）。
【００４１】
次に、ＣＰＵ１２はユーザが選択したフォトモード１０３ａをフォトモードデータベース１０３から読み出し、読み出したフォトモード１０３ａの有する撮影条件を初期設定としてカメラ１５を起動する（図９のＳ５）。
【００４２】
以上が本実施形態の動作の概要である。
【００４３】
次に、本実施形態の動作の詳細について、図１０〜図２９を参照して説明する。
【００４４】
まず、フォトモード１０３ａを生成する工程について図１０〜図２５を参照してさらに詳細に説明する。
【００４５】
まず、携帯電話機１１の使用者が携帯電話機１１の電源をオンにするとＣＰＵ１２は、ＲＯＭ１４に記憶された通話プログラム１０１を起動する。
【００４６】
通話プログラム１０１が起動すると、ＣＰＵ１２は携帯電話機１１をいわゆる待ち受け状態にし、表示制御部１９を介して表示部２０に図１１に示すような待ち受け画面２００を表示する（図１０のＳ４１）。この状態は、電話やメールの着信を待っている状態であり、また、使用者が入力部１８の１つであるメインメニューキーを押下するのを携帯電話機１１（のＣＰＵ１２）が待っている状態である。
【００４７】
次に、ＣＰＵ１２は、入力部１８のメインメニューキーが押下られると、図１２に示すメインメニュー２０１を表示部２０に表示する（図１０のＳ４２）。
【００４８】
次にＣＰＵ１２は、メインメニュー２０１中のカメラメニューが選択されると、表示部２０に図１３に示すカメラメニュー画面２０３を表示する（図１０のＳ４３）。
【００４９】
次にＣＰＵ１２は、カメラメニュー画面２０３中のカメラ撮影機能が選択されると、ＲＯＭ１４に記憶された撮影プログラム１０２を起動し、表示部２０に図１４に示すようなカメラ起動画面２０５を表示する（図１０のＳ４４）。
【００５０】
図１４に示すように、カメラ起動画面２０５には撮影アイコン５１および機能アイコン５２が表示されている。さらに、カメラ起動画面２０５にはレンズ１５ａが捉えた図示しない風景等が表示されており、撮影アイコン５１を選択することにより、撮影が可能である。
【００５１】
次にＣＰＵ１２は、カメラ起動画面２０５で機能アイコン５２が選択されると、図１５に示すような機能メニュー２０７を表示し、機能メニュー２０７で「カメラ調節」がユーザに選択されると、図１６に示すカメラ調節画面２１１を表示し、ユーザに撮影条件を設定させる（図１０のＳ４５）。
【００５２】
ここで、Ｓ４５について、例を挙げて説明する。
【００５３】
例えば、明るい場所で風景を撮影する場合の条件を設定する場合は、ユーザは図１６に示すカメラ調節画面２１１から、明るい場所で風景を撮影するのに適した条件を選択する。
【００５４】
具体的には、図１６に示すカメラ調節画面２１１でカーソル５３を「明るさ調節」に合わせて選択アイコン５７を選択して図１７に示す明るさ調節画面２１３を表示させ、カーソル５３を「−１」に合わせて選択アイコン５７を選択することにより撮影時の明るさの設定を行う。
【００５５】
なお、カメラ調節画面２１１に戻る場合は閉アイコン５８を選択する。
【００５６】
また、図１６に示すカメラ調節画面２１１でカーソル５３を「ホワイトバランス設定」に合わせて選択アイコン５７を選択して図１８に示すホワイトバランス設定画面２１５を表示させ、カーソル５３を「晴天」に合わせて選択アイコン５７を選択することにより、撮影時のホワイトバランスの設定を行う。
【００５７】
さらに、ここでは同様の操作により、ライトは「消灯」、フラッシュは「ＯＦＦ」、倍率は「１倍」、撮影モードは「風景」に設定されたものとする。
【００５８】
なお、ここで暗い場所での風景を撮影する場合の条件を設定する場合は、図１９、図２０、図２１にそれぞれ示すように、ライト調節画面２１７でライトを「点灯」に、フラッシュ調節画面２１９でフラッシュを「ＯＮ」に、明るさ調節画面２１３で明るさを「＋２」に設定し、その他の条件は適宜設定する。
【００５９】
また、近くの風景を撮影する場合の条件を設定する場合は、例えば図２２のようにズーム倍率調節画面２２３でズームを「３倍（最大）」に設定し、他の条件を適宜設定するか、図２３のようにズーム倍率調節画面２２３でズームを「１倍（最小）」に設定し、図２４に示すように撮影モード調節画面２２５で撮影モードを「接写」に設定し、他の条件は適宜設定か、いずれかの操作を行う。
【００６０】
次に、ユーザが図１５に示す機能メニュー２０７を選択し（図１０のＳ４６）、機能メニュー２０７から「撮影条件の保存」を選択すると（図１０のＳ５０）、ＣＰＵ１２は、Ｓ４５で設定された撮影条件を組み合わせて新たなフォトモード１０３ａを生成し、フラッシュＲＯＭ１７のフォトモードデータベース１０３に保存する（図１０のＳ５１）。なお、この際、ユーザの操作に応じて、フォトモード１０３ａのフォトモード名１０３ｂを入力させてもよい。
【００６１】
ここで、フォトモード１０３ａが生成される際には、ＣＰＵ１２は、フォトモード１０３ａに、撮影条件の組み合わせに加え、カメラ起動プログラム１０３ｄを組み込む（図７参照）。
【００６２】
即ち、撮影条件の組み合わせをフォトモード１０３ａとして保存するということは、保存した撮影条件の組み合わせを初期設定として持つ、「カメラ起動システム」を新たに構築するということになる。
【００６３】
次に、ＣＰＵ１２は、ユーザがカメラ機能を終了させる操作を行うと、カメラ機能を終了する（図１０のＳ５２）。カメラ機能を終了させず、かつ撮影条件の設定もしない場合は、ユーザの要求に応じて他の処理（例えば撮影）を行う（図１０のＳ５４）。
【００６４】
一方、ユーザが撮影条件を記憶することなくカメラ機能を終了しようとすると（図１０のＳ４７）、ＣＰＵ１２は図２５に示すように「撮影条件を保存しますか？」とユーザに問い合わせる問い合わせ画面２０４を表示する（図１０のＳ４８）。
【００６５】
ここでＹＥＳアイコン２０４ａが選択されると（図１０のＳ４９）、ＣＰＵ１２は、Ｓ４５で設定された撮影条件を組み合わせて新たなフォトモード１０３ａを生成し、フラッシュＲＯＭ１７のフォトモードデータベース１０３に保存する。なお、この際、フォトモード１０３ａには撮影条件の組み合わせに加え、カメラ起動プログラム１０３ｄが組み込まれる。
【００６６】
フォトモード１０３ａの保存が終了すると、ＣＰＵ１２は、撮影プログラム１０２を終了させ、再び待ち受け状態に戻す。
【００６７】
なお、Ｓ４９でＮＯアイコン２０４ｂが選択されると、ＣＰＵ１２はフォトモード１０３ａを生成せずに撮影プログラム１０２を終了させ、再び待ち受け状態に戻す。
【００６８】
なお、撮影条件を複数記憶させる（フォトモード１０３ａを複数生成させ、保存させる）には、記憶させたい撮影条件を選択する度に（Ｓ４５）、Ｓ５０のカメラ起動中の機能メニュー２０７から「撮影条件の保存」を選択するか、Ｓ４９のカメラ機能終了時に撮影条件を保存させる動作を繰り返すか、いずれかを行えば良い。
【００６９】
このようにして、フォトモード１０３ａが生成され、図７に示すフォトモードデータベース１０３に保存される。
【００７０】
図７では、「フォトモードＡ」は前述した明るい場所で風景を撮影する場合の条件の組み合わせであり、「フォトモードＢ」前述した暗い場所で風景を撮影する場合の条件の組み合わせである。
【００７１】
また、「フォトモードＣ」「フォトモードＤ」は前述した近くのものを撮影する場合の条件の組み合わせである。
【００７２】
次に、生成したフォトモード１０３ａに基づいてカメラ１５の撮影条件を設定する工程について図２６〜図２９を参照して説明する。
【００７３】
まず、生成したフォトモード１０３ａに基づいてカメラ１５の撮影条件を設定するためには、フォトモード１０３ａをユーザが選択可能な状態にする必要があるため、その方法について図２６〜図２９を参照して説明する。
【００７４】
まず、携帯電話機１１が待ち受け状態（図１１参照）となっている状態（図２６のＳ６１）でメインメニューキーが押されると、ＣＰＵ１２は、メインメニュー２０１（図１２参照）を表示部２０に表示する（図２６のＳ６２）。
【００７５】
次に、メインメニュー２０１中の「カメラメニュー」が選択されると、ＣＰＵ１２は、カメラメニュー画面２０３（図１３参照）を表示部２０に表示する（図２６のＳ６３）。
【００７６】
次に、カメラメニュー画面２０３中の「マイフォトモード」が選択されると、ＣＰＵ１２は、図２７に示すマイフォトモードメニュー３０１を表示部２０に表示する（図２６のＳ６４）。
【００７７】
図２７では、マイフォトモードメニュー３０１に、図７に示す４つのフォトモード１０３ａのフォトモード名１０３ｂである、「フォトモードＡ」「フォトモードＢ」「フォトモードＣ」「フォトモードＤ」が表示されている。
【００７８】
ここで、マイフォトモードメニュー３０１の中から特定のフォトモード１０３ａ（図２７ではフォトモードＡ）が選択されると、具体的には携帯電話機１１の使用者が待ち受け画面２００に貼り付けたいフォトモード１０３ａにカーソル５３を合わせ、機能キーが押下されると（図２６のＳ６５）、ＣＰＵ１２は、図２８に示すように、機能メニュー３０３を表示部２０に表示する（Ｓ６６）。
【００７９】
機能メニュー３０３中の「デスクトップ貼付」が選択されると（図２６のＳ６７）、ＣＰＵ１２は選択された撮影条件のフォトモード１０３ａを待ち受け画面２００に貼り付ける（図２６のＳ６８）。
【００８０】
この状態を示すのが図２９である。
【００８１】
図２９では、待ち受け画面２００に、ユーザが選択したフォトモード１０３ａ（フォトモードＡ、フォトモードＢ、フォトモードＣ）が、アイコン８０、８１、８２として貼り付けられている（表示されている）。
【００８２】
次に、生成したフォトモード１０３ａに基づいてカメラ１５の撮影条件を設定する方法について図３０を参照して説明する。
【００８３】
待ち受け画面２００において（図３０のＳ７１）、ユーザがアイコン８０、８１、８２のいずれかを選択すると、即ち、１つのフォトモード１０３ａが選択されると（図３０のＳ７２）、ＣＰＵ１２は、選択されたアイコンに対応するフォトモード１０３ａを、フォトモードデータベース１０３から読み込む（図３０のＳ７３）。
【００８４】
次に、ＣＰＵ１２は選択されたフォトモード１０３ａの有するカメラ起動プログラム１０３ｄを用いて、選択されたフォトモード１０３ａを構成する撮影条件の組み合わせを初期設定として、カメラ機能を起動する（図３０のＳ７４）。即ち、撮影プログラム１０２を起動して図１４に示すカメラ起動画面２０５を表示して、カメラ１５を使用可能にする。
【００８５】
この状態では、ユーザはフォトモード１０３ａを構成する撮影条件の組み合わせに基づいて撮影を行うことができる。
【００８６】
このように、本実施形態によれば、カメラ１５を有する携帯電話機１１は、ユーザが選択した撮影条件の組み合わせを有するフォトモード１０３ａを有しており、撮影の際には、フォトモード１０３ａを用いることにより、あらかじめユーザが選択した撮影条件の組み合わせに基づき撮影が可能である。
【００８７】
そのため、撮影の度に条件を設定する必要がなく、カメラ１５の撮影条件の設定の煩雑さを解消できる。
【００８８】
また、本実施形態によれば、フォトモード１０３ａはそれ自体にカメラ起動能力（カメラ起動プログラム１０３ｄ）を搭載しており、待ち受け画面２００でフォトモード１０３ａに対応するアイコンを選択すると、ＣＰＵ１２はカメラ起動プログラム１０３ｄを用いて、フォトモード１０３ａを構成する撮影条件の組み合わせを初期設定としてカメラ１５を起動する。
【００８９】
そのため、カメラ１５を起動するための操作と撮影条件を設定するための操作をフォトモード１０３ａに対応したアイコンを選択するだけで行うことができ、撮影操作を簡素化できる。
【産業上の利用可能性】
【００９０】
上記した実施形態では、本発明を、カメラ付きの携帯電話である携帯電話機１１に適用した場合について説明したが、本発明は、何等、これに限定されることなく、撮影機能を有する全ての機器に適用できる。
【符号の説明】
【００９１】
１１…………携帯電話機
１１ａ………本体
１２…………ＣＰＵ
１３…………バス
１４…………ＲＯＭ
１５…………カメラ
１５ａ………レンズ
１５ｂ………フラッシュ
１５ｃ………ライト
１６…………ＲＡＭ
１７…………フラッシュＲＯＭ
１８…………入力部
１９…………表示制御部
２０…………表示部
２１…………通話部
２１ａ………マイク
２１ｂ………スピーカ
２２…………記憶部
５１…………撮影アイコン
５２…………機能アイコン
５３…………カーソル
５７…………選択アイコン
５８…………閉アイコン
８０…………アイコン
８１…………アイコン
８２…………アイコン
１０１………通話プログラム
１０２………撮影プログラム
１０３………フォトモードデータベース
１０３ａ……フォトモード
１０３ｂ……フォトモード名
１０３ｃ……撮影条件
１０３ｄ……カメラ起動プログラム
２００………待ち受け画面
２０１………メインメニュー
２０３………カメラメニュー画面
２０５………カメラ起動画面
２０４………問い合わせ画面
２０４ａ……ＹＥＳアイコン
２０４ｂ……ＮＯアイコン
２０７………機能メニュー
２１１………カメラ調節画面
２１３………明るさ調節画面
２１５………ホワイトバランス設定画面
２１７………ライト調節画面
２１９………フラッシュ調節画面
２２３………ズーム倍率調節画面
２２５………撮影モード調節画面
３０１………マイフォトモードメニュー
３０３………機能メニュー
【図１】
0005532214.tif 000002
【図２】
0005532214.tif 000003
【図３】
0005532214.tif 000004
【図４】
0005532214.tif 000005
【図５】
0005532214.tif 000006
【図６】
0005532214.tif 000007
【図７】
0005532214.tif 000008
【図８】
0005532214.tif 000009
【図９】
0005532214.tif 000010
【図１０】
0005532214.tif 000011
【図１１】
0005532214.tif 000012
【図１２】
0005532214.tif 000013
【図１３】
0005532214.tif 000014
【図１４】
0005532214.tif 000015
【図１５】
0005532214.tif 000016
【図１６】
0005532214.tif 000017
【図１７】
0005532214.tif 000018
【図１８】
0005532214.tif 000019
【図１９】
0005532214.tif 000020
【図２０】
0005532214.tif 000021
【図２１】
0005532214.tif 000022
【図２２】
0005532214.tif 000023
【図２３】
0005532214.tif 000024
【図２４】
0005532214.tif 000025
【図２５】
0005532214.tif 000026
【図２６】
0005532214.tif 000027
【図２７】
0005532214.tif 000028
【図２８】
0005532214.tif 000029
【図２９】
0005532214.tif 000030
【図３０】
0005532214.tif 000031